(57)【要約】【課題】  ナットやボルトなどのねじ体２１を操作簡単に手早く回転操作できるねじ体用工具を提供する。【解決手段】  ねじ体２１の回転操作部２３に対して一対の係合片１ａによって脱着及び一体回転自在に係合するねじ体操作部３、及び、このねじ体操作部３に対して一端側が連結している帯紐状の操作体１０を備えてある。操作体１０は、ねじ体操作部３の操作体巻き付け部２に対して連結している端部を巻き付け始端部１１として操作体巻き付け部２に対して巻き付けできる。操作体１０を操作体巻き付け部２に巻き付けた状態から引き操作部１２を持って引き操作されることにより、ねじ体操作部３が回転操作されてねじ体２１を回転操作する。【選択図】        図４
2005022057.tif 000002
【特許請求の範囲】
【請求項１】
ねじ体の回転操作部に対して脱着及び一体回転自在に係合するねじ体操作部、及び、このねじ体操作部に対して一端側が連結している操作体を備え、
前記操作体を、ねじ体操作部に対して連結している端部を巻き付け始端部としてねじ体操作部に対して巻き付け自在に構成し、かつ、ねじ体操作部に対する巻き付け状態からねじ体操作部に対して離れるように引き操作されることによってねじ体操作部を回転操作するように構成してあるねじ体用工具。
【請求項２】
前記ねじ体操作部を、ねじ体のねじ部軸芯に沿う方向、及び、ねじ部軸芯に対して直交する方向でねじ体の回転操作部に対して脱着するように構成してある請求項１記載のねじ体用工具。
【請求項３】
前記ねじ体操作部のねじ体における回転操作部に対して係合する係止部が、前記操作体が巻き付けられる操作体巻き付け部の内側に入り込んでいる請求項１又は２記載のねじ体用工具。
【請求項４】
前記操作体を前記ねじ体操作部に巻き付けられた状態に保持する接着手段を、操作体に備えてある請求項１〜３のいずれか１項に記載のねじ体用工具。
【発明の詳細な説明】
【技術分野】
【０００１】
本発明は、ボルトやナットなどのねじ体を回転操作するためのねじ体用工具に関する。
【背景技術】
【０００２】
たとえば一対のコネクタと、ナットを備えたホース継ぎ手にあっては、ナットを回転操作し、ナットとコネクタのねじ部どうしの噛合いよって一対のコネクタを引き寄せ合い、一対のコネクタの端部どうしが当接し合うようにして接続する。従って、コネクタどうしが当接し合った後は、シールのために強く圧接させ合う必要があることからナットの回転操作が重くなるが、それまでは、コネクタを寄せ合うだけで済むことからナットの回転操作が軽くて済む。また、シールのためのナットの締め込みは、わずかな回転量だけ回転操作すれば済むのに対し、コネクタの寄せ合いの段階では、ナットを何回も回転するように回転操作する必要がある。
このため、シールの段階では、スパナなどの工具を使用してナットを強く締め込み操作し、それまでの仮締めの段階では、工具を使用せず、ナットを手で回転操作するという作業方法を採用されることがある。殊に、バックホウなどの建設機械の如くホース継ぎ手が狭い間隔で並んでいるなど、ナットに工具を装着しにくいとか、工具を装着しても一度の操作ストロークではナットがあまり大きく回転しなくて、工具を何度も脱着する必要がある場合、手回し操作によって仮締めするという作業方法を採用される。
【０００３】
従来、特許文献１に示されるように、受け孔５を設けた略円板状体１、略円板状体１の外周縁に嵌着した滑り止め部材９を備え、受け孔５によってボルト頭に脱着及び一体回転自在に装着し、略円板状体１の外周に指先を当ててこの略円板状体１を回転操作することによって、ボルトを手回し操作できるものがあった。
【０００４】
【特許文献１】特開２００１−２３９４６６号公報  （  第２−４頁、図１−１２  ）
【発明の開示】
【発明が解決しようとする課題】
【０００５】
従来の工具の場合、工具の回転操作に手間が掛かって作業性が悪くなることがあった。殊に、建設機械のホース継ぎ手の如く、数多い操作対象のねじ体が狭い間隔で並んでいると、工具に手を当てにくくて個々のねじ体の回転操作に手間が掛かり、作業性が悪くなりがちであった。さらに、この工具の場合、回転操作が迅速にできるようにすると、工具全体の外径が大きくなり、作業用スペースが狭いと使用しにくくなっていた。
【０００６】
本発明の目的は、ねじ体を操作簡単に手早く回転操作できるねじ体用工具を提供することにある。
【課題を解決するための手段】
【０００７】
本第１発明によるねじ体用工具にあっては、ねじ体の回転操作部に対して脱着及び一体回転自在に係合するねじ体操作部、及び、このねじ体操作部に対して一端側が連結している操作体を備え、前記操作体を、ねじ体操作部に対して連結している端部を巻き付け始端部としてねじ体操作部に対して巻き付け自在に構成し、かつ、ねじ体操作部に対する巻き付け状態からねじ体操作部に対して離れるように引き操作されることによってねじ体操作部を回転操作するように構成してある。
【０００８】
すなわち、ねじ体操作部がねじ体の回転操作部に係合し、かつ、操作体がねじ体操作部に巻き付いた状態にし、操作体をねじ体操作部から離れるように引っ張り操作する。すると、ねじ体操作部が回転操作されてねじ体を締まり側や緩み側に回転操作するものである。これにより、操作体を引っ張り操作するだけでねじ体操作部を迅速に回転操作してねじ本体を手早く回転操作できる。
また、帯紐状体などで成る操作体がねじ体操作部に巻き付いただけの比較的コンパクトなものにしても、その小さい嵩の割には、操作体を引っ張り操作するだけでねじ体操作部を迅速に回転操作してねじ本体を手早く回転操作できる。さらに、操作対象のねじ体が狭い間隔で並んでいるなど操作スペースが狭い場合、操作体の端部がねじ本体の上側に位置するとか操作スペースから突出するなど適切な部位に位置するようにしてねじ体に対して装着すれば、その操作スペースの割には、操作体に手が容易に届いて操作体を楽にかつ迅速に引き操作できる。
【０００９】
本第２発明にあっては、本第1発明の構成において、前記ねじ体操作部を、ねじ体のねじ部軸芯に沿う方向、及び、ねじ部軸芯に対して直交する方向でねじ体の回転操作部に対して脱着するように構成してある。
【００１０】
すなわち、ホース継ぎ手にあっては、操作体が巻き付いた状態にしたねじ体操作部をナットに対してこれのねじ部軸芯に沿う方向から装着し、ナットを一対のコネクタどうしにわたって付いた状態にしてから操作体を引っ張り操作してナットを回転操作し、ナットの仮締めが終えると、ねじ体操作部をナットからこれのねじ部軸芯に直交する方向に取り外して、ナットをスパナなどで締め付け操作するという接続方法によって接続作業される。ねじ体操作部を、ねじ体のねじ部軸芯に沿う方向、及び、ねじ部軸芯に対して直交する方向でねじ体の回転操作部に対して脱着するように構成してあるものだから、ホース継ぎ手のナットの如く、工具をねじ体に対してねじ部軸芯の方向に装着し、ねじ部軸芯に対して直交する方向に取り外す必要がある操作対象に対しても使用できる。
【００１１】
本第３発明にあっては、本第１又は第２発明の構成において、前記ねじ体操作部のねじ体における回転操作部に対して係合する係止部が、前記操作体が巻き付けられる操作体巻き付け部の内側に入り込んでいる。
【００１２】
ねじ体操作部のねじ体における回転操作部に対して係合する係止部が、操作体が巻き付けられる操作体巻き付け部の内側に入り込んでいるものだから、回転操作部の回転軸芯に直交する方向視において係止部と操作体巻き付け部が重複して位置し、係止部の回転操作部の回転軸芯に沿う方向での大きさも、操作体巻き付け部のその方向での大きさも大にしながら、その大きさの割には、ねじ体用工具全体の回転操作部の回転軸芯に沿う方向での大きさを小にできる。
【００１３】
本第４発明にあっては、本第1〜第３発明のいずれか一つの構成において、前記操作体を前記ねじ体操作部に巻き付けられた状態に保持する接着手段を、操作体に備えてある。
【００１４】
ねじ体操作部に巻き付けた操作体を解れないように巻き付け状態に保持するのに、操作体に巻き掛けるバンドなど、係止形の保持手段を採用した場合、ねじ体を回転操作する際、操作体を引っ張り操作できるように、保持手段を解除する操作が必要になる。これに対し、操作体に備えさせた接着手段によって操作体を巻き付け状態に保持できるものだから、操作体の巻き付け保持を解除するための特別な手間を掛けなくとも、操作体を引っ張り操作すればこの引っ張り操作のために接着手段よる接着が外れてねじ体を回転操作できるようにしながら、操作体を巻き付け状態に保持できる。
【発明の効果】
【００１５】
従って、本第１発明によれば、操作体を引っ張り操作するだけで操作簡単に、ねじ体を手早く回転操作して能率よく仮締めするとか緩めることができる。
また、操作体がねじ体操作部に巻き付いただけのコンパクトなものにするとか、ねじ体を装着するに当たり、後に操作体の取り扱いが容易に行なえるように調整して装着することができるのであり、建設機械における油圧ホースの継ぎ手のナットに使用すれば、狭い操作スペースであるとか操作対象の数が多くても、各ナットの仮締めを操作簡単にかつ手早く行なって能率よく組み立て作業できる如く、操作スペースの広さにかかわらず、ねじ体を操作簡単にかつ能率よく取付けたり取り外したりできる。
【００１６】
また、本第２発明によれば、ホース継ぎ手のナットの如く、ねじ体操作部をねじ体に対して装着した方向とは異なる方向に取り外す必要があるねじ体の場合にも使用して、操作体を引っ張り操作するだけで操作簡単にかつ手早くねじ体を回転操作できる。
【００１７】
また、本第３発明によれば、係止部の回転操作部の回転軸芯に沿う方向での大きさを大にして、ねじ体に対して外れにくいように確実に係合するようにし、操作体巻き付け部の回転操作部の回転軸芯に沿う方向での大きさを大にして、操作体を巻き重ねる場合でも、幅が広くて強固な張力に耐える操作体を採用して回転操作部を強固に操作できるようにし、回転抵抗が大きいねじ体の場合でも強固に回転操作できる。その割には、ねじ体用工具全体の回転操作部の回転軸芯に沿う方向での大きさが小さくて使用しやすいようにコンパクト化できる。
【００１８】
また、本第４発明によれば、巻き付け部に巻き付けた操作体を解れないようにしながら工具全体を持ち運びするとか、ねじ体操作部をねじ体に装着するなどできる。その割には、操作体を引っ張り操作するだけで操作簡単にねじ体操作部を回転操作でき、この面からもねじ体を手早く回転操作できる。
【発明を実施するための最良の形態】
【００１９】
以下、本発明の実施例を図面に基づいて説明する。
図１，２に示すように、一対の係合片１ａを有した正面視で矩形のねじ体操作部３と、このねじ体操作部３に一端側が連結している帯紐状の操作体１０を備えて、ねじ体用工具を構成してある。このねじ体用工具は、ナット、ボルトなどのねじ体を回転操作するのに使用するものであり、詳しくは、次の如く構成してある。
【００２０】
ねじ体操作部３は、前記一対の係合片１ａ，１ａを備えた係止部１と、ねじ体操作部３の正面視でほぼ矩形の操作体巻き付け部２とによって構成してある。
【００２１】
係止部１は、両端部が前記係合片１ａになるとともに所定間隔を隔てて対向し合うように、かつ、この間隔がループ外に向けて開口するように環状に曲げ成形した帯板金の前記一対の係合片１ａを備える部分によって構成してある。これにより、係止部１は、ナット２１に対してこれのねじ部２２の軸芯に沿う方向に相対移動させることによっても、ナット２１に対してこれのねじ部２２の軸芯に直交する方向に相対移動させることによっても、係合片１ａどうしの間にナット２１の回転操作部２３が入り込むとか、係合片１ａどうしの間からナット２１の回転操作部２３が抜け出し、ナット２１の回転操作部２３に対して脱着できるようになっている。回転操作部２３に装着した状態では、一対の係合片１ａ，１ａによって回転操作部２３を挟持した状態になり、この回転操作部２３に対して一体回転するように係合する。
【００２２】
操作体巻き付け部２は、前記曲げ帯板金の前記一対の係合片１ａ，１ａを除く部分によって構成してあり、一箇所に係合片１ａどうしの間隔で成る切れ目が存在し、かつ、外周面が操作体１０の巻き付け面になった略矩形の環状になっている。これにより、操作体巻き付け部２と前記係止部１は、係止部１が操作体巻き付け部２の内側に入り込んだ配置関係になっている。
【００２３】
操作体１０は、前記操作体巻き付け部２に一端側を巻き付け止着したビニール製の帯紐状体で成っていて可撓性を備えており、図２，４の如く操作体巻き付け部２に対して巻き付けできるようになっている。
すなわち、操作体巻き付け部２に連結している端部を巻き付け始端部１１として操作体巻き付け部２の外周面に、ねじ体操作部３の径方向に積み重なるようにして巻き付けられるようになっている。
【００２４】
操作体１０の前記巻き付け始端部１１とは反対側の端部の引き操作部１２よりやや巻き付け始端部の方に寄った部分の内面側に、両面粘着テープを取り付けて構成した接着手段１３を設け、操作体１０を操作体巻き付け部２に巻き付けた状態では、前記接着手段１３により、操作体１０の端部を、操作体部分を介して操作体巻き付け部２に接着させ、操作体１０を操作体巻き付け部２に対して巻き付けられた状態に保持できるようになっている。図４に示す如くこの巻き付け保持状態でも、引き操作部１２は、操作体巻き付け部２から浮いた状態になるようになっている。
【００２５】
操作体１０は、操作体巻き付け部２に巻き付けた状態から前記引き操作部１２によって引っ張り操作されて、操作体巻き付け部２に対して解けて離れていくように操作されると、操作体巻き付け部２を回転操作することによってねじ体操作部３を回転操作するように構成してある。
【００２６】
つまり、このねじ体用工具は、バックホウなどの建設機械において油圧ホース３０をホース継ぎ手２０によって接続するに当たり、図３〜８の如くして接続作業するようになっている。
すなわち、図３，４に示すように、ねじ体操作部３の操作体巻き付け部２に操作体１０を巻き付けるとともに接着手段１３によって巻き付け状態に保持されるようにしたねじ体用工具を、ホース継ぎ手２０のナット２１に対してこれのねじ部軸芯に沿う方向から装着し、ねじ体用工具の係止部１がナット２１の回転操作部２３に係合すると、図５に示すように、ナット２１の一端側をナット２１が付いていない方のコネクタ２４のオねじ部２５に対して位置合わせする。ナット２１のねじ部２２の一端側がオねじ部２５に若干噛合ってナット２１が一対のコネクタ２４，２６にわたって付いた状態になると、図６，７に示すように、ねじ体用工具の操作体１０の引き操作部１２を持って引っ張り操作し、操作体１０を操作体巻き付け部２から引き離れるように操作してねじ体操作部３を回転操作し、係止部１によってナット２１を回転操作して仮締めする。すると、ナット２１は、コネクタ２４に対して螺進することによって両コネクタ２４，２５を引き寄せ操作する。操作体１０の操作体巻き付け部２に連結している部分を除く部分が操作体巻き付け部２から外れると、係止部１をナット２１に対してこれのねじ部軸芯と直交する方向に相対移動させる。係止部１がナット２１から離脱してねじ体用工具の全体がナット２１から外れると、このナット２１にスパナなどの工具を装着し、この工具によってナット２１を締め込み操作する。すると、図８に示すように、コネクタ２４のオス側円錐面２７を備える先端部が他方のコネクタ２４のメス側円錐面２８を備える先端部に入り込み、メス側円錐面２８とオス側円錐面２７が圧接し合ってシールされ、両油圧ホース３０，３０が接続される。
【００２７】
〔別実施例〕
ねじ体操作部３としては、上記実施例の如く正面視で矩形に構成したものを採用する他、ナットやボルト頭の六角形状に相似した六角形状であるとか、円形など各種形状に構成したものを採用して実施してもよい。
【００２８】
操作体１０としては、上記実施例の如くビニール製の帯紐状体を採用する他、綿や合成繊維で成る丸紐など、素材や形状が各種異なる細紐や帯紐、テープなどを採用して実施してもよい。細紐の場合、操作体巻き付け部２の外周面に螺旋状に巻き付けると、巻き嵩が高くならないようにコンパクトに巻き付けることができる。
【００２９】
本発明は、ホース継ぎ手２０に装備されるナット２１の他、ボルトに装着されるナットの回転操作にも使用できる。また、ナットの他、ボルトの回転操作にも使用できる。従って、前記ナット２１、ボルトなどを総称してねじ体２１と呼称する。
【００３０】
本発明は、ナットやボルトなどのねじ体を締め込み側に回転操作するのに使用する他、緩み側に回転操作するのに使用してもよい。
【図面の簡単な説明】
【００３１】
【図１】ねじ体用工具の操作体引き操作状態での斜視図
【図２】ねじ体用工具の操作体巻き付け状態での斜視図
【図３】ねじ体用工具の使用状態を示す断面図
【図４】ねじ体用工具のナットに対する装着状態を示す断面図
【図５】ナットのコネクタに対する位置合わせ状態を示す断面図
【図６】操作体の引き操作要領を示す斜視図
【図７】ナットの仮締め要領を示す断面図
【図８】ナットの締め付け状態を示す断面図
【符号の説明】
【００３２】
１        係止部
２        操作体巻き付け部
３        ねじ体操作部
１０      操作体
１１      巻き付け始端部
１３      接着手段
２１      ねじ体
２３      ねじ体の回転操作部
【図１】
2005022057.tif 000003
【図２】
2005022057.tif 000004
【図３】
2005022057.tif 000005
【図４】
2005022057.tif 000006
【図５】
2005022057.tif 000007
【図６】
2005022057.tif 000008
【図７】
2005022057.tif 000009
【図８】
2005022057.tif 000010